(57)【要約】【課題】包装対象の物品の数や総体積に合わせ、箱体の形状や容積を選択的に変更できる梱包箱を提供する。【解決手段】箱体形成片１８には、第一、第二、第三、第四、第五、第六側面板２０，２２，２４，２６，２８，３０が互いに平行な折罫線を介して順に連接される。第一及び第四側面板２０，２６の連接方向長さは互いに等しく、第二及び第五側面板２２，２８の連接方向長さは互いに等しく、第三及び第六側面板２４，３０の連接方向長さは互いに等しい。第一側面板２０は、連接方向に対して直角な一端部に、矩形の第一底蓋フラップ４６が延設され、第二、第四、第五側面板２２，２６，２８の同じ側の一端部にそれぞれ、矩形の第二、第四、第五底蓋フラップ５０，５８，６２が延設される。第一、第二、第四及び第五底蓋フラップ５０，５８，６２の各延設方向長さは等しい。【選択図】図１
2017132497.tif 000002
【特許請求の範囲】
【請求項１】
断面矩形の筒状部と前記筒状部の一端を閉鎖する底蓋部とを有し、前記筒状部及び前記底蓋部が一枚の箱体形成片から形成される梱包箱において、
前記箱体形成片には、第一側面板、第二側面板、第三側面板、第四側面板、第五側面板、第六側面板が互いに平行な折罫線を介して順に連接され、前記第一及び第四側面板の連接方向長さは互いに等しく、前記第二及び第五側面板の連接方向長さは互いに等しく、前記第三及び第六側面板の連接方向長さは互いに等しく、
前記第一側面板は、連接方向に対して直角な一端部に、矩形の第一底蓋フラップが折罫線を介して延設され、前記第二側面板、前記第四側面板、前記第五側面板はそれぞれ、連接方向に対して直角な一端部であって前記第一底蓋フラップ側の端部に、矩形の第二底蓋フラップ、第四底蓋フラップ、第五底蓋フラップが折罫線を介して延設され、前記第二、第四及び第五底蓋フラップの各延設方向長さは前記第一底蓋フラップと等しく形成され、
前記箱体形成片の組み立て方によって、互いに容積が異なる第一の外形と第二の外形とを選択することができることを特徴とする梱包箱。
【請求項２】
前記第三側面板の連接方向長さをD1、長さD1に前記第二側面板の連接方向長さを加えた長さをD2、長さD2に前記第一側面板の連接方向長さを加えた長さをL、前記第一底蓋フラップの長さをαとし、各長さD1，D2，Ｌ，αは、次の式（１）〜（３）を満たすように設定され、
D1／2≦α≦D1                    （１）
D2／2≦α≦D2                    （２）
α≦L−D2                        （３）
前記第一の外形に組み立てた状態では、前記第一及び第二側面板が連続して成る平坦面と前記第四及び第五側面板が連続して成る平坦面とが対向し、前記第三側面板と前記第六側面板とが対向することにより前記筒状部が形成され、さらに、前記第一、第二、第四及び前記第五底蓋フラップにより前記底蓋部が形成され、
前記第二の外形に組み立てた状態では、前記第一側面板と前記第四側面板とが対向し、前記第二及び第三側面板が連続して成る平坦面と前記第五及び第六側面板が連続して成る平坦面とが対向することにより前記筒状部が形成され、さらに、前記第一及び第四底蓋フラップの内側に前記第二及び第五底蓋フラップが収まって前記底蓋部が形成される請求項1記載の梱包箱。
【請求項３】
前記箱体形成片の状態で、前記第一及び第二底蓋フラップは、互いに隣接する端部同士が底蓋フラップ破断線を介して連続し、前記第四及び第五底蓋フラップは、互いに隣接する端部同士が底蓋フラップ破断線を介して連続し、
前記第二の外形に組み立てた状態で、前記２つの底蓋フラップ破断線が破断されている請求項１記載の梱包箱。
【請求項４】
前記箱体形成片の状態で、前記第三側面板、前記第六側面板はそれぞれ、前記連接方向に対して直角な一端部であって前記第一底蓋フラップ側の端部に、矩形の第三底蓋フラップ、第六底蓋フラップが折罫線を介して延設され、前記第三及び第六底蓋フラップの各延設方向長さは互いに等しく、
前記第三底蓋フラップの延設方向長さをβとし、長さβは、次の式（４）、（５）を満たすように設定され、
β≦L−D1                    （４）
α≧β                        （５）
前記第一の外形に組み立てた状態では、前記第一、第二、第四及び第五底蓋フラップの内側に前記第三及び第六底蓋フラップが収まって前記底蓋部が形成され、
前記第二の外形に組み立てた状態では、前記第一及び第四底蓋フラップの内側に前記第二、第三、第五及び第六底蓋フラップが収まって前記底蓋部が形成される請求項２又は３記載の梱包箱。
【請求項５】
前記第三底蓋フラップの長さβは、次の式（６）を満たすように設定されている請求項４記載の梱包箱。
α＋β≧L−D2                  （６）
【請求項６】
前記筒状部の他端を閉鎖する天蓋部を有し、前記天蓋部は、前記筒状部及び前記底蓋部とともに前記一枚の箱体形成片から形成され、
前記箱体形成片の状態で、前記第一側面板は、前記第一底蓋フラップと反対側の端部に、前記第一底蓋フラップと同じ形状の第一天蓋フラップが折罫線を介して延設され、
前記第二側面板、前記第四側面板、前記第五側面板はそれぞれ、前記連接方向に対して直角な一端部であって前記第一天蓋フラップ側の端部に、第二天蓋フラップ、第四天蓋フラップ、第五天蓋フラップが折罫線を介して延設され、前記第二、第四及び第五天蓋フラップはそれぞれ、反対側の前記第二、第四及び第五底蓋フラップと同じ形状であり、
前記第一の外形に組み立てた状態では、前記第一、第二、第四及び第五天蓋フラップにより前記天蓋部が形成され、
前記第二の外形に組み立てた状態では、前記第一及び第四天蓋フラップの内側に前記第二及び第五天蓋フラップが収まって前記天蓋部が形成される請求項１乃至５のいずれか記載の梱包箱。
【請求項７】
前記箱体形成片の状態で、前記第一及び第二天蓋フラップは、互いに隣接する端部同士が天蓋フラップ破断線を介して連続し、前記第四及び第五天蓋フラップは、互いに隣接する端部同士が天蓋フラップ破断線を介して連続し、
前記第二の外形に組み立てた状態で、前記２つの天蓋フラップ破断線が破断されている請求項６記載の梱包箱。
【請求項８】
断面矩形の筒状部と前記筒状部の一端を閉鎖する底蓋部とを有し、前記筒状部及び前記底蓋部が一枚の箱体形成片から形成される梱包箱において、
前記箱体形成片には、第一側面板、第二側面板、第三側面板、第四側面板、第五側面板、第六側面板が互いに平行な折罫線を介して順に連接され、前記第一及び第四側面板の連接方向長さは互いに等しく、前記第二及び第五側面板の連接方向長さは互いに等しく、前記第三及び第六側面板の連接方向長さは互いに等しく、
前記第一側面板は、連接方向に対して直角な一端部に、矩形の第一底蓋フラップが折罫線を介して延設され、前記第四側面板は、前記連接方向に対して直角な端部であって前記第一底蓋フラップ側の一端部に、矩形の第四底蓋フラップが折罫線を介して延設され、前記第四底蓋フラップの延設方向長さは前記第一底蓋フラップと等しく、
前記第二側面板、前記第三側面板、前記第五側面板、前記第六側面板は、それぞれ前記連接方向に対して直角な一端部であって前記第一底蓋フラップ側の一端部に、矩形の第二底蓋フラップ、第三底蓋フラップ、第五底蓋フラップ、第六側蓋フラップが折罫線を介して延設され、前記第二、第三、第五及び第六底蓋フラップの各延設方向長さは互いに等しく形成され、
前記箱体形成片の組み立て方によって、互いに容積が異なる第一の外形と第二の外形とを選択することができることを特徴とする梱包箱。
【請求項９】
前記第三側面板の連接方向長さをD1、長さD1に前記第二側面板の連接方向長さを加えた長さをD2、長さD2に前記第一側面板の連接方向長さを加えた長さをL、前記第一底蓋フラップの長さをα、前記第二底蓋フラップの長さをβとし、各長さD1，D2，L，α，βは、次の式（７）〜（１２）を満たすように設定され、
D2／2≦α≦D2            （７）
β≦L−D2                （８）
D1／2≦α≦D1            （９）
α＋β≧D1                （１０）
β≦L−D1                （１１）
α≧β                    （１２）
前記第一の外形に組み立てた状態では、前記第一側面板と前記第四側面板とが対向し、前記第二及び第三側面板が連続して成る平坦面と前記第五及び第六側面板が連続して成る平坦面とが対向することにより前記筒状部が形成され、さらに、前記第一及び第四底蓋フラップの内側に前記第二、第三、第五及び第六底蓋フラップが収まって前記底蓋部が形成され、
前記第二の外形に組み立てた状態では、前記第一及び第二側面板が連続して成る平坦面と前記第四及び第五側面板が連続してなる平坦面とが対向し、前記第三側面板と前記第六側面板とが対向することにより前記筒状部が形成され、さらに、前記第一、第二、第四及び第五底蓋フラップの内側に前記第三及び第六底蓋フラップが収まって前記底蓋部が形成される請求項８記載の梱包箱。
【請求項１０】
前記箱体形成片の状態で、前記第二及び第三底蓋フラップは、互いに隣接する端部同士が底蓋フラップ破断線を介して連続し、前記第五及び第六底蓋フラップは、互いに隣接する端部同士が底蓋フラップ破断線を介して連続し、
前記第二の外形に組み立てた状態で、前記２つの底蓋フラップ破断線が破断されている請求項８記載の梱包箱。
【請求項１１】
前記筒状部の他端を閉鎖する天蓋部を有し、前記天蓋部は、前記筒状部及び前記底蓋部とともに前記一枚の箱体形成片から形成され、
前記箱体形成片の状態で、前記第一側面板は、前記第一底蓋フラップと反対側の端部に、前記第一底蓋フラップと同じ形状の第一天蓋フラップが折罫線を介して延設され、
前記第二側面板、前記第三側面板、前記第四側面板、前記第五側面板、前記第六側面板はそれぞれ、前記連接方向に対して直角な一端部であって前記第一天蓋フラップ側の端部に、第二天蓋フラップ、第三天蓋フラップ、第四天蓋フラップ、第五天蓋フラップ、第六天蓋フラップが折罫線を介して延設され、前記第二、第三、第四、第五及び第六天蓋フラップはそれぞれ、反対側の前記第二、第三、第四、第五、及び第六底蓋フラップと同じ形状であり、
前記第一の外形に組み立てた状態では、前記第一及び第四天蓋フラップの内側に前記第二、第三、第五及び第六天蓋フラップが収まって前記天蓋部が形成され、
前記第二の外形に組み立てた状態では、前記第一、第二、第四及び第五天蓋フラップの内側に前記第三及び第六天蓋フラップが収まって前記天蓋部が形成される請求項９又は１０記載の梱包箱。
【請求項１２】
前記箱体形成片の状態で、前記第二及び第三天蓋フラップは、互いに隣接する端部同士が天蓋フラップ破断線を介して連続し、前記第五及び第六天蓋フラップは、互いに隣接する端部同士が底蓋フラップ破断線を介して連続し、
前記第二の外形に組み立てた状態で、前記２つの天蓋フラップ破断線が破断されている請求項１１記載の梱包箱。
【請求項１３】
所定の基準寸法Ｆに対し、次の式（１３）〜（１６）に基づいて定数Na，Nb，Nc，Ndを定義し、
L−D1＝Na・F            （１３）
D1＝Nb・F                （１４）
L−D2＝Nc・F            （１５）
D2＝Nd・F                （１６）
各定数Na，Nb，Nc，Ndがすべて自然数になるように、前記長さL，D1，D2が設定されている請求項２又は９記載の梱包箱。
【発明の詳細な説明】
【技術分野】
【０００１】
本発明は、段ボールや厚紙等で形成される梱包箱に関する。
【背景技術】
【０００２】
従来、例えば特許文献１に開示されているように、瓶や缶等の円柱形の物品を包装するため包装箱材であって、相互に連接された対向する２対の側壁部分から成る断面矩形の筒状部と、対向する少なくとも一対の側壁部分に連結され、前記筒状部の下側の一端を閉鎖する底蓋部とを備えた包装箱材があった。通常、円柱形の物品は、筒状部内に複数個が縦詰めされ、平面視で縦横に整列させた状態で、各物品の胴部が筒状部の内面に接するように収容される。例えば、直径Ｆの物品４個を縦２列×横２列に整列させて包装する場合、筒状部の外形は、縦方向が直径Ｆの約２倍の寸法に、横方向が直径Ｆの約２倍の寸法にそれぞれ設定される。
【先行技術文献】
【特許文献】
【０００３】
【特許文献１】特開２００５−５９９２１号公報
【発明の概要】
【発明が解決しようとする課題】
【０００４】
特許文献１の包装箱材は、箱体の形状や容積が一定であり、物品の数が変更になった時、適切に対応するのが難しいという問題があった。
【０００５】
例えば、直径Ｆの物品４個の包装用に設計された包装箱材は、物品３個の包装にも使用可能であるが、物品３個を収容した状態で物品１個分の空間が空いてしまうので、筒状部の中で収容した物品が暴れないように緩衝材等の詰め物を入れる必要があり、包装作業が面倒になる。また、詰め物は、開梱後は廃棄される部材なので、ゴミ削減の観点からも好ましくない。一方、物品３個の包装用に設計された別の包装箱材を用意すれば詰め物は不要になるが、包装箱材の種類が増えてしまうため、資材管理コストが増加する問題がある。
【０００６】
なお、この問題は、物品が円柱形以外の形状であっても同様に発生する問題であり、従来は、物品の総体積が変更になったとき、適切に対応できる梱包箱がなかった。
【０００７】
本発明は、上記背景技術に鑑みて成されたものであり、包装対象の物品の数や総体積に合わせ、箱体の形状や容積を選択的に変更できる梱包箱を提供することを目的とする。
【課題を解決するための手段】
【０００８】
本発明は、断面矩形の筒状部と前記筒状部の一端を閉鎖する底蓋部とを有し、前記筒状部及び前記底蓋部が一枚の箱体形成片から形成される梱包箱であって、前記箱体形成片には、第一側面板、第二側面板、第三側面板、第四側面板、第五側面板、第六側面板が互いに平行な折罫線を介して順に連接され、前記第一及び第四側面板の連接方向長さは互いに等しく、前記第二及び第五側面板の連接方向長さは互いに等しく、前記第三及び第六側面板の連接方向長さは互いに等しく、前記第一側面板は、連接方向に対して直角な一端部に、矩形の第一底蓋フラップが折罫線を介して延設され、前記第二側面板、前記第四側面板、前記第五側面板はそれぞれ、連接方向に対して直角な一端部であって前記第一底蓋フラップ側の端部に、矩形の第二底蓋フラップ、第四底蓋フラップ、第五底蓋フラップが折罫線を介して延設され、前記第二、第四及び第五底蓋フラップの各延設方向長さは前記第一底蓋フラップと等しく形成された梱包箱である。
【０００９】
そして、前記第三側面板の連接方向長さをD1、長さD1に前記第二側面板の連接方向長さを加えた長さをD2、長さD2に前記第一側面板の連接方向長さを加えた長さをL、前記第一底蓋フラップの長さをαとし、各長さD1，D2，L，αは、次の式（１）〜（３）を満たすように設定され、
D1／2≦α≦D1                    （１）
D2／2≦α≦D2                    （２）
α≦L−D2                        （３）
前記箱体形成片の組み立て方によって、互いに容積が異なる第一の外形と第二の外形とを選択することができ、前記第一の外形に組み立てた状態では、前記第一及び第二側面板が連続して成る平坦面と前記第四及び第五側面板が連続して成る平坦面とが対向し、前記第三側面板と前記第六側面板とが対向することにより前記筒状部が形成され、さらに、前記第一、第二、第四及び前記第五底蓋フラップにより前記底蓋部が形成され、前記第二の外形に組み立てた状態では、前記第一側面板と前記第四側面板とが対向し、前記第二及び第三側面板が連続して成る平坦面と前記第五及び第六側面板が連続して成る平坦面とが対向することにより前記筒状部が形成され、さらに、前記第一及び第四底蓋フラップの内側に前記第二及び第五底蓋フラップが収まって前記底蓋部が形成される梱包箱である。
【００１０】
また、前記箱体形成片の状態で、前記第一及び第二底蓋フラップは、互いに隣接する端部同士が底蓋フラップ破断線を介して連続し、前記第四及び第五底蓋フラップは、互いに隣接する端部同士が底蓋フラップ破断線を介して連続し、前記第二の外形に組み立てた状態で、前記２つの底蓋フラップ破断線が破断されている構成にしてもよい。
【００１１】
また、前記箱体形成片の状態で、前記第三側面板、前記第六側面板はそれぞれ、前記連接方向に対して直角な一端部であって前記第一底蓋フラップ側の端部に、矩形の第三底蓋フラップ、第六底蓋フラップが折罫線を介して延設され、前記第三及び第六底蓋フラップの各延設方向長さは互いに同じであり、前記第三底蓋フラップの延設方向長さをβとし、長さβは、次の式（４）、（５）を満たすように設定され、
β≦L−D1                    （４）
α≧β                        （５）
前記第一の外形に組み立てた状態では、前記第一、第二、第四及び第五底蓋フラップの内側に前記第三及び第六底蓋フラップが収まって前記底蓋部が形成され、前記第二の外形に組み立てた状態では、前記第一及び第四底蓋フラップの内側に前記第二、第三、第五及び第六底蓋フラップが収まって前記底蓋部が形成される構成にしてもよい。
【００１２】
この場合、前記第三底蓋フラップの長さβは、次の式（６）を満たすように設定されていることが好ましい。
【００１３】
α＋β≧L−D2                  （６）
さらに、前記筒状部の他端を閉鎖する天蓋部を有し、前記天蓋部は、前記筒状部及び前記底蓋部とともに前記一枚の箱体形成片から形成され、前記箱体形成片の状態で、前記第一側面板は、前記第一底蓋フラップと反対側の端部に、前記第一底蓋フラップと同じ形状の第一天蓋フラップが折罫線を介して延設され、前記第二側面板、前記第四側面板、前記第五側面板はそれぞれ、前記連接方向に対して直角な一端部であって前記第一天蓋フラップ側の端部に、第二天蓋フラップ、第四天蓋フラップ、第五天蓋フラップが折罫線を介して延設され、前記第二、第四及び第五天蓋フラップはそれぞれ、反対側の前記第二、第四及び第五底蓋フラップと同じ形状であり、前記第一の外形に組み立てた状態では、前記第一、第二、第四及び第五天蓋フラップにより前記天蓋部が形成され、前記第二の外形に組み立てた状態では、前記第一及び第四天蓋フラップの内側に前記第二及び第五天蓋フラップが収まって前記天蓋部が形成される構成にしてもよい。
【００１４】
この場合、前記箱体形成片の状態で、前記第一及び第二天蓋フラップは、互いに隣接する端部同士が天蓋フラップ破断線を介して連続し、前記第四及び第五天蓋フラップは、互いに隣接する端部同士が天蓋フラップ破断線を介して連続し、前記第二の外形に組み立てた状態で、前記２つの天蓋フラップ破断線が破断されている構成にしてもよい。
【００１５】
また本発明は、断面矩形の筒状部と前記筒状部の一端を閉鎖する底蓋部とを有し、前記筒状部及び前記底蓋部が一枚の箱体形成片から形成される梱包箱であって、前記箱体形成片には、第一側面板、第二側面板、第三側面板、第四側面板、第五側面板、第六側面板が互いに平行な折罫線を介して順に連接され、前記第一及び第四側面板の連接方向長さは互いに等しく、前記第二及び第五側面板の連接方向長さは互いに等しく、前記第三及び第六側面板の連接方向長さは互いに等しく、前記第一側面板は、連接方向に対して直角な一端部に、矩形の第一底蓋フラップが折罫線を介して延設され、前記第四側面板は、前記連接方向に対して直角な端部であって前記第一底蓋フラップ側の一端部に、矩形の第四底蓋フラップが折罫線を介して延設され、前記第四底蓋フラップの延設方向長さは前記第一底蓋フラップと等しく、前記第二側面板、前記第三側面板、前記第五側面板、前記第六側面板は、それぞれ前記連接方向に対して直角な一端部であって前記第一底蓋フラップ側の一端部に、矩形の第二底蓋フラップ、第三底蓋フラップ、第五底蓋フラップ、第六側蓋フラップが折罫線を介して延設され、前記第二、第三、第五及び第六底蓋フラップの各延設方向長さは互いに等しく形成された梱包箱である。
【００１６】
そして、前記第三側面板の連接方向長さをD1、長さD1に前記第二側面板の連接方向長さを加えた長さをD2、長さD2に前記第一側面板の連接方向長さを加えた長さをL、前記第一底蓋フラップの長さをα、前記第二底蓋フラップの長さをβとし、各長さD1，D2，L，α，βは、次の式（７）〜（１２）を満たすように設定され、
D2／2≦α≦D2            （７）
β≦L−D2                （８）
D1／2≦α≦D1            （９）
α＋β≧D1                （１０）
β≦L−D1                （１１）
α≧β                    （１２）
前記箱体形成片の組み立て方によって、互いに容積が異なる第一の外形と第二の外形とを選択することができ、前記第一の外形に組み立てた状態では、前記第一側面板と前記第四側面板とが対向し、前記第二及び第三側面板が連続して成る平坦面と前記第五及び第六側面板が連続して成る平坦面とが対向することにより前記筒状部が形成され、さらに、前記第一及び第四底蓋フラップの内側に前記第二、第三、第五及び第六底蓋フラップが収まって前記底蓋部が形成され、前記第二の外形に組み立てた状態では、前記第一及び第二側面板が連続して成る平坦面と前記第四及び第五側面板が連続してなる平坦面とが対向し、前記第三側面板と前記第六側面板とが対向することにより前記筒状部が形成され、さらに、前記第一、第二、第四及び第五底蓋フラップの内側に前記第三及び第六底蓋フラップが収まって前記底蓋部が形成される梱包箱である。
【００１７】
また、前記箱体形成片の状態で、前記第二及び第三底蓋フラップは、互いに隣接する端部同士が底蓋フラップ破断線を介して連続し、前記第五及び第六底蓋フラップは、互いに隣接する端部同士が底蓋フラップ破断線を介して連続し、前記第二の外形に組み立てた状態で、前記２つの底蓋フラップ破断線が破断されている構成にしてもよい。
【００１８】
さらに、前記筒状部の他端を閉鎖する天蓋部を有し、前記天蓋部は、前記筒状部及び前記底蓋部とともに前記一枚の箱体形成片から形成され、前記箱体形成片の状態で、前記第一側面板は、前記第一底蓋フラップと反対側の端部に、前記第一底蓋フラップと同じ形状の第一天蓋フラップが折罫線を介して延設され、前記第二側面板、前記第三側面板、前記第四側面板、前記第五側面板、前記第六側面板はそれぞれ、前記連接方向に対して直角な一端部であって前記第一天蓋フラップ側の端部に、第二天蓋フラップ、第三天蓋フラップ、第四天蓋フラップ、第五天蓋フラップ、第六天蓋フラップが折罫線を介して延設され、前記第二、第三、第四、第五及び第六天蓋フラップはそれぞれ、反対側の前記第二、第三、第四、第五、及び第六底蓋フラップと同じ形状であり、前記第一の外形に組み立てた状態では、前記第一及び第四天蓋フラップの内側に前記第二、第三、第五及び第六天蓋フラップが収まって前記天蓋部が形成され、前記第二の外形に組み立てた状態では、前記第一、第二、第四及び第五天蓋フラップの内側に前記第三及び第六天蓋フラップが収まって前記天蓋部が形成される構成にしてもよい。
【００１９】
この場合、前記箱体形成片の状態で、前記第二及び第三天蓋フラップは、互いに隣接する端部同士が天蓋フラップ破断線を介して連続し、前記第五及び第六天蓋フラップは、互いに隣接する端部同士が底蓋フラップ破断線を介して連続し、前記第二の外形に組み立てた状態で、前記２つの天蓋フラップ破断線が破断されている構成にしてもよい。
【００２０】
さらに、所定の基準寸法Ｆに対し、次の式（１３）〜（１６）に基づいて定数Na，Nb，Nc，Ndを定義し、
L−D1＝Na・F            （１３）
D1＝Nb・F                （１４）
L−D2＝Nc・F            （１５）
D2＝Nd・F                （１６）
各定数Na，Nb，Nc，Ndがすべて自然数になるように、前記長さＬ，D1，D2が設定されている構成にしてもよい。
【発明の効果】
【００２１】
本発明の梱包箱は、箱体形成片の組み立て方により、互いに容積が異なる２種類の外形に形成することができる。つまり、包装する物品の数や総体積に合わせて適切な外形を選択することができる。さらに、どちらの外形を選択した場合も、筒状部の下側の一端を底蓋部で確実に閉鎖できるものである。したがって、梱包箱の種類を少なくでき、しかも緩衝材等の詰め物の量も最小限に抑えることができる。
【図面の簡単な説明】
【００２２】
【図１】本発明の梱包箱の第一の実施形態を構成する箱体形成片を表面から見た展開図である。
【図２】図１の箱体形成片の各部の寸法を記号で表わした図である。
【図３】第一の実施形態の梱包箱（第一の外形）の外観を示す図であって、底蓋部側から見た斜視図（ａ）、底蓋部を展開した状態を示す底面図（ｂ）である。
【図４】第一の実施形態の梱包箱（第二の外形）の外観を示す図であって、底蓋部側から見た斜視図（ａ）、底蓋部を展開した状態を示す底面図（ｂ）である。
【図５】本発明の梱包箱の第二の実施形態を構成する箱体形成片を表面から見た展開図である。
【図６】図５の箱体形成片の各部の寸法を記号で表した図である。
【図７】第二の実施形態の梱包箱（第一の外形）の外観を示す図であって、底蓋部側から見た斜視図（ａ）、底蓋部を展開した状態を示す底面図（ｂ）である。
【図８】第二の実施形態の梱包箱（第二の外形）の外観を示す図であって、底蓋部側から見た斜視図（ａ）、底蓋部を展開した状態を示す底面図（ｂ）である。
【図９】本発明の梱包箱の第三の実施形態を構成する箱体形成片を表面から見た展開図である。
【図１０】図９の箱体形成片の各部の寸法を記号で表わした図である。
【図１１】第三の実施形態の梱包箱（第一の外形）の外観を示す図であって、底蓋部側から見た斜視図（ａ）、底蓋部を展開した状態を示す底面図（ｂ）である。
【図１２】第三の実施形態の梱包箱（第二の外形）の外観を示す図であって、底蓋部側から見た斜視図（ａ）、底蓋部を展開した状態を示す底面図（ｂ）である。
【図１３】第一の実施形態の梱包箱の様々な変形例を示す図である。
【発明を実施するための形態】
【００２３】
以下、本発明の梱包箱の第一の実施形態について、図１〜図４に基づいて説明する。第一の実施形態の梱包箱１０は、円柱形の物品を３個又は４個の単位で包装できるよう設計された段ボールや厚紙により形成された箱体である。梱包箱１０は、断面矩形の筒状部１２と、筒状部１２の一端を閉鎖する底蓋部１４と、筒状部１２の他端を閉鎖する天蓋部１６とを有し、一枚の箱体形成片１８を組み立てることにより形成される。
【００２４】
箱体形成片１８には、図１に示すように、矩形の第一側面板２０、第二側面板２２、第三側面板２４、第四側面板２６、第五側面板２８、第六側面板３０が互いに平行な折罫線３２，３４，３６，３８，４０を介して順に連接されている。第一及び第四側面板２０，２６の連接方向長さは互いに等しく、第二及び第五側面板２２，２８の連接方向長さは互いに等しく、第三及び第六側面板２４，３０の連接方向長さは互いに等しい。第一側面板２０の連接方向の端部には、第六側面板３０の端部の裏面に糊付けされる糊付け片４２が、折罫線４４で区切られて設けられている。６つの側面板は、後述する組み立て状態で、筒状部１２を形成する部分である。
【００２５】
第一側面板２０の、連接方向に対して直角な一端部には、矩形の第一底蓋フラップ４６が折罫線４８で区切られて延設されている。同様に、第二側面板２２の同じ側の端部には、第二底蓋フラップ５０が折罫線５２で区切られて延設され、第三側面板２４の同じ側の端部には、第三底蓋フラップ５４が折罫線５６で区切られて延設され、第四側面板２６の同じ側の端部には、第四底蓋フラップ５８が折罫線６０で区切られて延設され、第五側面板２８の同じ側の端部には、第五底蓋フラップ６２が折罫線６４で区切られて延設され、第六側面板３０の同じ側の端部には、第六底蓋フラップ６６が折罫線６８で区切られて延設されている。第一、第二、第四及び第五底蓋フラップ４６，５０，５８，６２の延設長さは互いに等しく、第三及び第六底蓋フラップ５４，６６の延設長さも互いに等しい。また、第一及び第二底蓋フラップ４６，５０は、互いに隣接する端部同士が底蓋フラップ破断線７０を介して連続し、第四及び第五底蓋フラップ５８，６２も、互いに隣接する端部同士が底蓋フラップ破断線７２を介して連続している。６つの底蓋フラップは、後述する組み立て状態で、底蓋部１４を形成する部分である。
【００２６】
第一側面板２０の、連接方向に対して直角な他端部には、矩形の第一天蓋フラップ７４が折罫線７６で区切られて延設されている。同様に、第二側面板２２の同じ側の端部には、第二天蓋フラップ７８が折罫線８０で区切られて延設され、第三側面板２４の同じ側の端部には、第三天蓋フラップ８２が折罫線８４で区切られて延設され、第四側面板２６の同じ側の端部には、第四天蓋フラップ８６が折罫線８８で区切られて延設され、第五側面板２８の同じ側の端部には、第五天蓋フラップ９０が折罫線９２で区切られて延設され、第六側面板３０の同じ側の端部には、第六天蓋フラップ９４が折罫線９６で区切られて延設されている。第一、第二、第四及び第五天蓋フラップ７４，７８，８６，９０の延設長さは互いに等しく、第三及び第六天蓋フラップ８２，９４の延設長さも互いに等しい。また、第一及び第二天蓋フラップ７４，７８は、互いに隣接する端部同士が天蓋フラップ破断線９８を介して連続し、第四及び第五天蓋フラップ８６，９０も、互いに隣接する端部同士が天蓋フラップ破断線１００を介して連続している。６つの天蓋フラップは、後述する組み立て状態で、天蓋部１６を形成する部分である。
【００２７】
箱体形成片１８の主要な部分の寸法について説明する。図２に示すように、第三側面板２４（又は第六側面板３０）の連接方向長さをD1、長さD1に第二側面板２２（又は第五側面板２８）の連接方向長さを加えた長さをD2、長さD2に第一側面板２０（又は第四側面板２６）の連接方向長さを加えた長さをLとすると、長さD1，D2，Lはそれぞれ所定の基準寸法Ｆの自然数倍に設定されており、具体的には、長さD1が基準寸法Ｆの１倍、長さD2が基準寸法Ｆの２倍、長さLが基準寸法Ｆの４倍に設定されている。基準寸法Ｆは、包装対象の円柱形の物品の直径と同等、もしくは僅かに大きい値であり、詳しくは後で説明する。なお、図２では示していないが、６つの側面板の幅（連接方向に対して直角方向の長さ）は、円柱形の物品の高さ寸法以上の値に設定されている。
【００２８】
また、第一、第二、第四及び第五底蓋フラップ４６，５０，５８，６２の延設長さをαとし、第三及び第五底蓋フラップの延設長さをβとすると、長さα，βはともに、基準寸法Ｆの１倍に設定されている。
【００２９】
梱包箱１０は、箱体形成片１８の組み立て方によって、互いに容積が異なる第一の外形と第二の外形のどちらか一方を選択することができる。以下、第一の外形に組み立てられた梱包箱１０を梱包箱１０(1)、第二の外形に組み立てられた梱包箱１０を梱包箱１０(2)とし、それぞれの組み立て方法を説明する。なお、図１は、箱体形成片１８を表面から見た図であり、ここでは表面が凸になる折り方を正折り、裏面が凸になる折り方を逆折りと称する。
【００３０】
第一の外形の梱包箱１０(1)を組み立てるときは、まず、糊付け片４２の表面に糊付けし、折罫線３４を正折りして１８０°に折り畳み、さらに折罫線４０を正折りして１８０°に折り畳み、糊付け片４２の表面を第六側面板３０の裏面に糊付けする。箱体形成片１８は、この折り畳まれた状態で出荷される。なお、糊付け片４２は、第六側面板３０の端縁に設置した構造でも良く、以下の実施形態でも同様である。
【００３１】
次に物品を包装する工場等において、折罫線３４，３６，４０，４４を各々９０°に正折りする。この状態で、第一及び第二側面板４６，５０が連続して成る平坦面と第四及び第五側面板２６，２８が連続して成る平坦面とが対向し、第三側面板２４と第六側面板３０とが対向することにより筒状部１２(1)が形成される。筒状部１２(1)のサイズは、図３（ｂ）に示すように、矩形断面の縦寸法がD1（＝F）、横寸法がL-D1（＝3・F）となる。
【００３２】
その後、筒状部１２(1)の下側の一端を塞ぐため、折罫線５６，６８で第三及び第六底蓋フラップ５４，６６を各々９０°に正折りする。そして、折罫線４８，５６で第一及び第二底蓋フラップ４６，５０を各々９０°に正折りし、さらに折罫線６０，６４で第四及び第五底蓋フラップ５８，６２を各々９０°に正折りし、底蓋部１４(1)を形成する。第三及び六底蓋フラップ５４，６６は、長さβが式（４）を満たしており、補助的なサイドフラップの働きをする。第一及び第二底蓋フラップ４６，５０は、サイドフラップに重なって内蓋となり、第四及び第五底蓋フラップ５８，６２が内蓋に重なって外蓋となり、筒状部１２(1)の一端を閉鎖する。このとき、第一、第二、第四及び第五底蓋フラップ４６，５０，５８，６２は、長さαが式（１）を満たしているので、互いに重なり合って筒状部１２(1)の端部を隙間なく閉鎖し、しかも筒状部１２(1)の端部から側方にはみ出すこともなく、綺麗な底蓋部１４(1)が形成される。なお、底蓋部１４(1)は、特定の位置に粘着テープを貼る等して固定される。
【００３３】
これで筒状部１２(1)の一端が底蓋部１４(1)で閉鎖されたので、筒状部１２(1)の反対側の開口端から物品を入れる。ここでは、３個の円柱形の物品を縦詰めし、平面視で横３列、縦１列に整列させる。３個の物品は、直径がほぼ基準寸法Ｆなので、それぞれの胴部が筒状部１２(1)の内面に接するように保持される。したがって、緩衝材等の詰め物を入れなくても、筒状部１２(1)の中で物品が暴れることはない。
【００３４】
その後、筒状部１２(1)の開口端を塞ぐため、まず、折罫線８４，９６で第三及び第六天蓋フラップ８２，９４を各々９０°に正折りする。そして、折罫線７６，８０で第一及び第二天蓋フラップ７４，７８を各々９０°に正折りし、さらに折罫線８８，９２で第四及び第五天蓋フラップ８６，９０を各々９０°に正折りし、天蓋部１６(1)を形成する。天蓋部１６(1)の構成は底蓋部１４(1)と同様であり、筒状部１２(1)の一端を隙間なく閉鎖し、また、第一、第二、第四及び第五天蓋フラップ７４，７８，８６，９０が筒状部１２(1)の端部から側方にはみ出すこともなく、綺麗な天蓋部１６(1)が形成される。これで、梱包箱１０(1)の組み立てが終了し、図３（ａ）に示す状態になる。
【００３５】
第二の外形の梱包箱１０(2)を組み立てるときは、上述の梱包箱１０(1)の場合と同様に、まず、箱体形成片１８の糊付け片４２が第六側面板３０に糊付けされて折り畳まれた状態から、物品を包装する工場等において、底蓋フラップ破断線７０，７２を破断するとともに、天蓋フラップ破断線９８，１００を破断した後、折罫線３２，３６，３８，４４を各々９０°に正折りする。この状態で、第一側面板２０と第四側面板２６とが対向し、第二及び第三側面板２２，２４が面一で連続して成る平坦面と、第五及び第六側面板２８，３０が面一で連続して成る平坦面とが対向することにより筒状部１２(2)が形成される。筒状部１２(2)のサイズは、図４（ｂ）に示すように、矩形断面の縦寸法がD2（＝2・F）、横寸法がL-D2（＝2・F）となる。
【００３６】
その後、筒状部１２(2)の下側の一端を塞ぐため、まず、折罫線５２，５６で第二及び第三底蓋フラップ５０，５４を各々９０°に正折りし、折罫線６４，６８で第五及び第六底蓋フラップ６２，６６を各々９０°に正折りする。そして、折罫線４８で第一底蓋フラップ４６を９０°に正折りし、さらに折罫線６０で第四底蓋フラップ５８を９０°に正折りし、底蓋部１４(2)を形成する。第二、第三、第五及び第六底蓋フラップ５０，５４，６２，６６は、長さα，βが式（３）、（５）を満たしており、補助的なサイドフラップの働きをする。第一及び第四底蓋フラップ４６，５８は、サイドフラップに重なって外蓋となり、筒状部１２(1)の一端を閉鎖する。このとき、第一及び第四底蓋フラップ４６，５８は、長さαが式（２）を満たしているので、互いに重なり合って筒状部１２(2)の端部を隙間なく閉鎖し、しかも筒状部１２(2)の端部から側方にはみ出すこともなく、綺麗な底蓋部１４(2)が形成される。底蓋部１４(2)は、上記と同様に、特定の位置に粘着テープを貼る等して固定される。さらに、長さα，βが式（６）も満たしているので、サイドフラップが外蓋と同等の広い面積になり、サイドフラップによって底蓋部１４(2)が効果的に補強される。
【００３７】
これで筒状部１２(2)の一端が底蓋部１４(2)で閉鎖されたので、筒状部１２(2)の反対側の開口端から物品を入れる。ここでは、４個の円柱形の物品を縦詰めし、平面視で横２列、縦２列に整列させる。４個の物品は、直径がほぼ基準寸法Ｆなので、それぞれの胴部が筒状部１２(2)の内面に接するように保持される。したがって、緩衝材等の詰め物を入れなくても、筒状部１２(2)の中で物品が暴れることはない。
【００３８】
その後、筒状部１２(2)の開口端を塞ぐため、折罫線８０，８４で第二及び第三天蓋フラップ７８，８２を各々９０°に正折りし、折罫線９２，９６で第五及び第六天蓋フラップ９０，９４を各々９０°に正折りする。そして、折罫線７６で第一天蓋フラップ７４を９０°に正折りし、さらに折罫線８８で第四天蓋フラップ８６を９０°に正折りし、天蓋部１６(2)を形成する。天蓋部１６(2)の構成は底蓋部１４(2)と同様であり、筒状部１２(2)の一端を隙間なく閉鎖し、また、第一及び第四天蓋フラップ７４，８６が筒状部１２(2)の端部から側方にはみ出すこともなく、綺麗な天蓋部１６(2)が形成される。これで、梱包箱１０(2)の組み立てが終了し、図４（ａ）に示す状態になる。
【００３９】
ここで、基準寸法Ｆについて説明する。上記のように、円柱形の物品（３個又は４個）を詰め物を入れずに包装するため、基準寸法Ｆを、物品の直径と同等、もしくは僅かに大きい値に設定する。より詳しく言うと、例えば、物品の直径に対し、箱体形成片１８の厚みが無視できるほど薄い場合は、基準寸法Ｆを物品の直径と同等の値に設定することが好ましい。一方、箱体形成片１８として段ボール紙等の厚手の基材を使用したり、隣接する物品同士の間に仕切り板を差し込んだりする場合は、箱体形成片や仕切り板の厚みの影響が無視できなくなり、基準寸法Ｆを物品の直径と同じの値に設定すると、物品を収納できないので、このような場合は、箱体形成片の厚み等を考慮して、基準寸法Ｆを物品の直径よりも僅かに大きい値に設定する。なお、包装対象の円柱形の物品は、断面正方形の角柱形の物品であってもよく、断面正方形の角柱形の場合は、基準寸法Ｆを正方形の一辺の長さと同等、もしくは僅かに大きい値に設定することによって、円柱形の場合と同様の作用効果を得ることができる。
【００４０】
また、梱包箱１０は、箱体形成片１８の状態で、第一及び第二底蓋フラップ４６，５０が底蓋フラップ破断線７０を介して連続し、第四及び第五底蓋フラップ５８，６２が底蓋フラップ破断線７２を介して連続している。底蓋フラップ破断線７０，７２は、第二の外形の梱包箱１０(2)を組み立てるときだけ破断されるものであり、第一の外形の梱包箱１０(1)を組み立てるときは破断する必要がない。つまり、梱包箱１０(1)を組み立てるときは、第一及び第二底蓋フラップ４６，５０が一体になっており、第四及び第五底蓋フラップ５８，６２も一体になっているので、これらを９０°に正折りする作業や底蓋部１４(1)を粘着テープ等で固定する作業が容易になるという利点がある。したがって、底蓋フラップ破断線７０，７２を設ける構成は、梱包箱１０(1)として使用する頻度（物品を３個単位で包装する頻度）が、梱包箱１０(2)として使用する頻度（物品を４個単位で包装する頻度）よりも高い場合に好適である。前者と後者の頻度が同じ場合は、箱体形成片１８の状態で第一底蓋フラップ４６と第二の底蓋フラプ５０を予め分離し、第四底蓋フラップ５８と第五底蓋フラップ６２を予め分離した構成にしてもよい。天蓋フラップ破断線９８，１００についても同様に、第一及び第四天蓋フラップ７４，８６、及び第四及び第五天蓋フラップ８６，９０を各々予め分離した構成にしてもよい。
【００４１】
以上説明したように、梱包箱１０は、第一の外形に組み立てると、筒状部１２の断面が細長い長方形になって容積が小さくなり、第二の外形に組み立てると、筒状部１２の断面がほぼ正方形になって容積が大きくなる。つまり、包装する物品の数に合わせて適切な外形を選択することができ、しかもどちらの外形を選択した場合も、筒状部１２の両端部を底蓋部１４及び天蓋部１６で確実に閉鎖できるものである。したがって、梱包箱１０の種類を少なくすることができ、円柱形の物品３個又は４個を包装する際に、緩衝材等の詰め物を不要にすることができる。また、箱体形成片１８は、一枚のブランクシートから効率よく製造することができるシンプルな形状であり、組み立ても容易である。
【００４２】
次に、本発明の梱包箱の第二の実施形態について、図５〜図８に基づいて説明する。ここで、上記の梱包箱１０と同様の構成は、同一の符号を付して説明を省略する。第二の実施形態の梱包箱１０２は、特に円柱形の物品の包装用に設計されたものではなく、任意の物品を包装するため箱体である。梱包箱１０２は、断面矩形の筒状部１０４と、筒状部１０４の一端を閉鎖する底蓋部１０６と、筒状部１０４の他端を閉鎖する天蓋部１０８とを有し、一枚の箱体形成片１１０を組み立てることにより形成される。
【００４３】
図５に示すように、箱体形成片１１０の構成（側面板、フラップ、破断線等の数や配置）は、上記の箱体形成片１８と基本的に同じであるが、主要な部分の寸法が異なっている。具体的には、図６に示すように、第三及び第六側面板２４，３０の連接方向の長さD1、長さD1に第二側面板２２（又は第五側面板２８）の連接方向長さを加えた長さD2、長さD2に第一側面板２０（又は第四側面板２６）の連接方向長さを加えた長さL、第一、第二、第四及び第五底蓋フラップ４６，５０，５８，６２（又は、第一、第二、第四及び第五天蓋フラップ７４，７８，８６，９０）の延設長さα、第三及び第六底蓋フラップ５４，６６（又は、第三及び第六天蓋フラップ８２，９４）の延設長さβについて、「D1/2＜α＜D1」「β＜L−D1」「「D2/2＜α＜D2」「α＜L−D2」「α＞β」の関係が成立するように設定されている。
【００４４】
梱包箱１０２は、上記の梱包箱１０と同様に、箱体形成片１１０の組み立て方によって、互いに容積が異なる第一の外形と第二の外形とを選択することができる。以下、第一の外形に組み立てられた梱包箱１０２を梱包箱１０２(1)、第二の外形に組み立てられた梱包箱１０２を梱包箱１０２(2)とし、それぞれの組み立て方法を説明する。なお、図５は、箱体形成片１１０を表面から見た図であり、表面が凸になる折り方を正折り、裏面が凸になる折り方を逆折りと称する。
【００４５】
第一の外形の梱包箱１０２(1)の組み立て方は、上記の梱包箱１０(1)と同様であり、まず糊付け片４２の表面に糊付けし、折罫線３４を正折りして１８０度に折り畳み、さらに折罫線４０を正折りして１８０°に折り畳み、糊付け片４２の表面を第六側面板３０の裏面に糊付けする。箱体形成片１１０は、この折り畳まれた状態で出荷される。
【００４６】
次に物品を包装する工場等において、折罫線３４，３６，４０，４４を各々９０°に正折りする。この状態で、第一及び第二側面板２０，２２が連続して成る平坦面と第四及び第五側面板２６，２８が連続して成る平坦面とが対向し、第三側面板２４と第六側面板３０とが対向することにより筒状部１０４(1)が形成される。筒状部１０４(1)のサイズは、図７（ｂ）に示すように、矩形断面の縦寸法がD1、横寸法がL-D1となる。
【００４７】
その後、筒状部１０４(1)の下側の一端を塞ぐため、折罫線５６，６８で第三及び第六底蓋フラップ５４，６６を各々９０°に正折りする。そして、折罫線４８，５２で第一及び第二底蓋フラップ４６，５０を各々９０°に正折りし、さらに折罫線６０，６４で第四及び第五底蓋フラップ５８，６２を各々９０°に正折りし、底蓋部１０６(1)を形成する。第三及び六底蓋フラップ５４，６６は、長さβが式（４）を満たしており、補助的なサイドフラップの働きをする。第一及び第二底蓋フラップ４６，５０は、サイドフラップに重なって内蓋となり、第四及び第五底蓋フラップ５８，６２は、内蓋の先端部分に重なって外蓋となり、筒状部１０４(1)の一端を閉鎖する。このとき、第一、第二、第四及び第五底蓋フラップ４６，５０，５８，６２は、長さαが式（１）を満たしているので、互いに重なり合って筒状部１０４(1)の端部を隙間なく閉鎖し、しかも筒状部１０４(1)の端部から側方にはみ出すこともなく、綺麗な底蓋部１０６(1)が形成される。
【００４８】
梱包箱１０２(1)の場合、上記の梱包箱１０(1)とは異なり、内蓋（第一及び第二底蓋フラップ４６，５０）と外蓋（第四及び第五底蓋フラップ５８，６２）とが完全には重ならないが、大きな問題にはならない。底蓋部１０６(1)は、特定の位置に粘着テープを貼る等して固定される。
【００４９】
これで筒状部１０４(1)の一端が底蓋部１０６(1)で閉鎖されたので、筒状部１０４(1)の反対側の開口端から物品を入れる。その後、筒状部１０４(1)の開口端を塞ぐため、まず、折罫線８４，９６で第三及び第六天蓋フラップ８２，９４を各々９０°に正折りする。そして、折罫線７６，８０で第一及び第二天蓋フラップ７４，７８を９０°に正折りし、さらに折罫線８８，９２で第四及び第五天蓋フラップ８６，９０を９０°に正折りし、天蓋部１０８(1)を形成する。天蓋部１０８(1)の構成は底蓋部１０６(1)と同様であり、筒状部１０４(1)の一端を隙間なく閉鎖し、また、第一、第二、第四及び第五天蓋フラップ７４，７８，８６，９０が筒状部１０４(1)の端部から側方にはみ出すこともなく、綺麗な天蓋部１０８(1)が形成される。これで、梱包箱１０２(1)の組み立てが終了し、図７（ａ）に示す状態になる。
【００５０】
第二の外形の梱包箱１０２(2)を組み立てるときは、上述の梱包箱１０２(1)の場合と同様に、箱体形成片１１０の糊付け片４２が第六側面板３０に糊付けされて折り畳まれた状態から、物品を包装する工場等において、底蓋フラップ破断線７０，７２を破断し、さらに天蓋フラップ破断線９８，１００を破断した後、折罫線３２，３６，３８，４４を各々９０°に正折りする。この状態で、第一側面板２０と第四側面板２６とが対向し、第二及び第三側面板２２，２４が面一で連続して成る平坦面と、第五及び第六側面板２８，３０が面一で連続して成る平坦面とが対向することにより筒状部１０４(2)が形成される。筒状部１０４(2)のサイズは、図８（ｂ）に示すように、矩形断面の縦寸法がD2、横寸法がL-D2となる。
【００５１】
その後、筒状部１０４(2)の下側の一端を塞ぐため、まず、折罫線５２，５６で第二及び第三底蓋フラップ５０，５４を各々９０°に正折りし、折罫線６４，６８で第五及び第六底蓋フラップ６２，６６を各々９０°に正折りする。そして、折罫線４８で第一底蓋フラップ４６を９０°に正折りし、さらに折罫線６０で第四底蓋フラップ５８を９０°に正折りし、底蓋部１０６(2)を形成する。第二、第三、第五及び第六底蓋フラップ５０，５４，６２，６６は、長さα，βが式（３）、（５）を満たしており、補助的なサイドフラップの働きをする。第一底蓋フラップ４６は、サイドフラップに重なって内蓋となり、第四底蓋フラップ５８がサイドフラップ及び内蓋の先端部分に重なって外蓋となり、筒状部１０４(2)の一端を閉鎖する。このとき、第一及び第四底蓋フラップ４６，５８は、長さαが式（２）を満たしているので、互いに重なり合って筒状部１２(2)の端部を隙間なく閉鎖し、しかも筒状部１２(2)の端部から側方にはみ出すこともなく、綺麗な底蓋部１４(2)が形成される。底蓋部１０６(2)は、上記と同様に、特定の位置に粘着テープを貼る等して固定される。
【００５２】
箱体形成片１１０の各部の寸法は、上記のように「D1/2＜α＜D1」「β＜L−D1」「「D2/2＜α＜D2」「α＜L−D2」「α＞β」の関係が成立するように設定されているが、さらに、長さα，βが式（６）も満たすように設定すれば、サイドフラップである第二及び第六底蓋フラップ５０，６６が重なり、第三及び第五底蓋フラップ５４，６２が重なるので、サイドフラップによって底蓋部１０６(2)を補強する効果がより大きくなる。
【００５３】
これで筒状部１０４(2)の一端が底蓋部１０６(2)で閉鎖されたので、筒状部１０６(2)の反対側の開口端から物品を入れる。その後、筒状部１０４(2)の開口端を塞ぐため、折罫線８０，８４で第二及び第三天蓋フラップ７８，８２を各々９０°に正折りし、折罫線９２，９６で第五及び第六天蓋フラップ９０，９４を各々９０°に正折りする。そして、折罫線７６で第一天蓋フラップ７４を９０°に正折りし、さらに折罫線８８で第四天蓋フラップ８６を９０°に正折りし、天蓋部１０８(2)を形成する。天蓋部１０８(2)の構成は底蓋部１０６(2)と同様であり、筒状部１０４(2)の一端を隙間なく閉鎖し、また、第一及び第四天蓋フラップ７４，８６が筒状部１０４(2)の端部から側方にはみ出すこともなく、綺麗な天蓋部１０８(2)が形成される。これで、梱包箱１０２(2)の組み立てが終了し、図８（ａ）に示す状態になる。
【００５４】
以上説明したように、梱包箱１０２は、第一の外形に組み立てると、筒状部１０４の断面が細長い長方形になって容積が小さくなり、第二の外形に組み立てると、筒状部１０４の断面が正方形に近くなって容積が大きくなる。つまり、包装する物品の総体積に合わせて適切な外形を選択することができ、しかもどちらの外形を選択した場合も、筒状部１０４の両端部を底蓋部１０６及び天蓋部１０８で確実に閉鎖できるものである。したがって、梱包箱１０２の種類を少なくすることができ、緩衝材等の詰め物の量も最小限に抑えることができる。また、箱体形成片１１０も、一枚のブランクシートから効率よく製造することができるシンプルな形状であり、組み立ても容易である。
【００５５】
次に、本発明の梱包箱の第三の実施形態について、図９〜図１２に基づいて説明する。ここで、上記の梱包箱１０，１０２と同様の構成は、同一の符号を付して説明を省略する。第三の実施形態の梱包箱１１２は、特に円柱形の物品の包装用に設計されたものではなく、梱包箱１０２と同様に任意の物品を包装するため箱体である。梱包箱１１２は、断面矩形の筒状部１１４と、筒状部１１４の一端を閉鎖する底蓋部１１６と、筒状部１１４の他端を閉鎖する天蓋部１１８とを有し、一枚の箱体形成片１２０を組み立てることにより形成される。
【００５６】
図９に示すように、箱体形成片１２０の構成（側面板、フラップ、破断線等の数や配置）は、上記の箱体形成片１１０と類似しているが、底蓋フラップ及び天蓋フラップの構成と主要な部分の寸法が一部異なっている。
【００５７】
底蓋フラップは、第一及び第二底蓋フラップ４６，５０は互いに分離しており、第二及び第三底蓋フラップ５０，５４は、互いに隣接する端部同士が底蓋フラップ破断線１２２を介して連続している。また、第四及び第五底蓋フラップ５８，６２は互いに分離しており、第五及び第六底蓋フラップ６２，６６は、互いに隣接する端部同士が底蓋フラップ破断線１２４を介して連続している。第一及び第四の底蓋フラップ４６，５８の延設長さは互いに等しく、第二、第三、第五及び第六底蓋フラップ５０，５４，６２，６６の延設長さも互いに等しい。
【００５８】
天蓋フラップも同様に、第一及び第二天蓋フラップ７４，７８は互いに分離しており、第二及び第三天蓋フラップ７８，８２が、互いに隣接する端部同士が天蓋フラップ破断線１２６を介して連続している。また、第四及び第五天蓋フラップ８６，９０は互いに分離しており、第五及び第六天蓋フラップ９０，９４は、互いに隣接する端部同士が天蓋フラップ破断線１２８を介して連続している。第一及び第四天蓋フラップ７４，８６の延設長さは互いに等しく、第二、第三、第五及び第六天蓋フラップ７８，８２，９０，９４の延設長さも互いに等しい。
【００５９】
箱体形成片１２０の主要な部分の寸法は、図１０に示すように、第三側面板２４（又は第六側面板３０）の連接方向の長さD1、長さD1に第二側面板２２（又は第五側面板２８）の連接方向長さを加えた長さD2、長さD2に第一側面板２０（又は第四側面板２６）の連接方向長さを加えた長さL、第一及び第四底蓋フラップ４６，５８（又は、第一及び第四天蓋フラップ７４，８６）の延設長さα、第二、第三、第五及び第六底蓋フラップ５０，５４，６２，６６（又は、第二、第三、第五及び第六天蓋フラップ７８，８２，９０，９４）の延設長さβについて、「D2/2＜α＜D2」「β＜L−D2」「「D1/2＜α＜D1」「α＋β＞D1」「β＜L−D1」「α＞β」の関係が成立するように設定されている。
【００６０】
梱包箱１１２は、上記の梱包箱１０，１０２と同様に、箱体形成片１２０の組み立て方によって、互いに容積が異なる第一の外形と第二の外形とを選択することができる。以下、第一の外形に組み立てられた梱包箱１１２を梱包箱１１２(1)、第二の外形に組み立てられた梱包箱１１２を梱包箱１１２(2)とし、それぞれの組み立て方法を説明する。なお、図９は、箱体形成片１２０を表面から見た図であり、表面が凸になる折り方を正折り、裏面が凸になる折り方を逆折りと称する。
【００６１】
第一の外形の梱包箱１１２(1)を組み立てるときは、まず、糊付け片４２の表面に糊付けし、折罫線３４を正折りして１８０°に折り畳み、さらに、折罫線４０を正折りして１８０°に折り畳み、糊付け片４２の表面を第六側面板３０の裏面に糊付けする。箱体形成片１２０は、この折り畳まれた状態で出荷される。
【００６２】
次に、物品を包装する工場等において、折罫線３２，３６，３８，４４を各々９０°に正折りする。この状態で、第一側面板２０と第四側面板２６とが対向し、第二及び第三側面板２２，２４が連続して成る平坦面と第五及び第六側面板２８，３０が連続して成る平坦面とが対向することにより筒状部１１４(1)が形成される。筒状部１１４(1)のサイズは、図１１（ｂ）に示すように、矩形断面の縦寸法がD2、横寸法がL-D2となる。
【００６３】
その後、筒状部１１４(1)の下側の一端を塞ぐため、まず、折罫線５２，５６で第二及び第三底蓋フラップ５０，５４を各々９０°に正折りし、折罫線６４，６８で第五及び第六底蓋フラップ６２，６６を各々９０°に正折りする。そして、折罫線４８で第一底蓋フラップ４６を９０°に正折りし、さらに折罫線６０で第四底蓋フラップ５８を９０°に正折りし、底蓋部１１６(1)を形成する。第二、第三、第五及び第六底蓋フラップ５０，５４，６２，６６は、長さβが式（８）を満たしており、補助的なサイドフラップの働きをする。第一底蓋フラップ４６は、サイドフラップに重なって内蓋となり、第四底蓋フラップ５８は、サイドフラップ及び内蓋の先端部分に重なって外蓋となり、筒状部１１４(1)の一端を閉鎖する。このとき、第一及び第四底蓋フラップ４６，５８は、長さαが式（７）を満たしているので、筒状部１１４(1)の端部を隙間なく閉鎖し、しかも筒状部１１４(1)の端部から側方にはみ出すこともなく、綺麗な底蓋部１１６(1)が形成される。
【００６４】
梱包箱１１２(1)の場合、上記の梱包箱１０(1)とは異なり、内蓋（第一及び第二底蓋フラップ５８，６２）と外蓋（第四及び第五底蓋フラップ５８，６２）が完全には重ならないが、特に問題にはならない。底蓋部１１６(1)は、特定の位置に粘着テープを貼る等して固定される。
【００６５】
これで筒状部１１４(1)の一端が底蓋部１１６(1)で閉鎖されたので、筒状部１１４(1)の反対側の開口端から物品を入れる。その後、筒状部１１４(1)の開口端を塞ぐため、折罫線８０，８４で第二及び第三天蓋フラップ７８，８２を各々９０°に正折りし、折罫線９２，９６で第五及び第六天蓋フラップ９０，９４を各々９０°に正折りする。そして、折罫線７６で第一天蓋フラップ７４を９０°に正折りし、さらに折罫線８８で第四天蓋フラップ８６を９０°に正折りし、天蓋部１１８(1)を形成する。天蓋部１１８(1)の構成は底蓋部１１６(1)と同様であり、筒状部１１４(1)の一端を隙間なく閉鎖し、また、第一及び第四天蓋フラップ７４，８６が筒状部１１４(2)の端部から側方にはみ出すこともなく、綺麗な天蓋部１１８(1)が形成される。これで、梱包箱１１２(1)の組み立てが終了し、図１１（ａ）に示す状態になる。
【００６６】
第二の外形の梱包箱１１２(2)を組み立てるときは、上述の梱包箱１１２(1)の場合と同様に、箱体形成片１１０の糊付け片４２が第六側面板３０に糊付けされて折り畳まれた状態から、物品を包装する工場等において、底蓋フラップ破断線１２２，１２４を破断し、さらに天蓋フラップ破断線１２６，１２８を破断した後、折罫線３４，３６，４０，４４を各々９０°に正折りする。この状態で、第一及び第二側面板２０，２２が面一で連続して成る平坦面と、第四及び第五側面板２６，２８が面一で連続して成る平坦面とが対向し、第三側面板２４と第六側面板３０とが対向することにより筒状部１１４(2)が形成される。筒状部１１４(2)のサイズは、図１２（ｂ）に示すように、矩形断面の縦寸法がD1、横寸法がL-D1となる。
【００６７】
その後、筒状部１１４(2)の下側の一端を塞ぐため、折罫線５６，６８で第三及び第六底蓋フラップ５４，６６を各々９０°に正折りする。そして、折罫線４８，５２で第一及び第二底蓋フラップ４６，５０を各々９０°に正折りし、さらに折罫線６０，６４で第四及び第五底蓋フラップ５８，６２を各々９０°に正折りし、底蓋部１１６(1)を形成する。第三及び六底蓋フラップ５４，６６は、長さβが式（１１）を満たしており、補助的なサイドフラップの働きをする。第一及び第二底蓋フラップ４６，５０は、サイドフラップに重なって内蓋となり、第四及び第五底蓋フラップ５８，６２が内蓋の先端部分に重なって外蓋となり、筒状部１１４(2)の一端を閉鎖する。このとき、第一、第二、第四及び第五底蓋フラップ４６，５０，５８，６２は、長さα，βが式（９）、（１０）、（１２）を満たしているので、内蓋と外蓋とが互いに重なり合って筒状部１１４(1)の端部を隙間なく閉鎖し、しかも筒状部１１４(2)の端部から側方にはみ出すこともなく、綺麗な底蓋部１１６(2)が形成される。底蓋部１１６(2)は、特定の位置に粘着テープを貼る等して固定される。
【００６８】
これで筒状部１１４(2)の一端が底蓋部１１６(2)で閉鎖されたので、筒状部１１４(2)の反対側の開口端から物品を入れる。その後、筒状部１１４(2)の開口端を塞ぐため、まず、折罫線８４，９６で第三及び第六天蓋フラップ８２，９４を各々９０°に正折りする。そして、折罫線７６，８０で第一及び第二天蓋フラップ７４，７８を各々９０°に正折りし、さらに折罫線８８，９２で第四及び第五天蓋フラップ８６，９０を各々９０°に正折りし、天蓋部１１８(2)を形成する。天蓋部１１８(2)の構成は底蓋部１１６(2)と同様であり、筒状部１１４(2)の一端を隙間なく閉鎖し、また、第一、第二、第四及び第五天蓋フラップ７４，７８，８６，９０が筒状部１０４(1)の端部から側方にはみ出すこともなく、綺麗な天蓋部１１８(2)が形成される。これで、梱包箱１１２(2)の組み立てが終了し、図１２（ａ）に示す状態になる。
【００６９】
梱包箱１１２は、箱体形成片１２０の状態で、第二及び第三底蓋フラップ５０，５４が底蓋フラップ破断線１２２を介して連続し、第五及び第六底蓋フラップ６２，６６が底蓋フラップ破断線１２４を介して連続している。底蓋フラプ破断線１２２，１２４は、第二の外形の梱包箱１１２(2)を組み立てるときだけ破断されるものであり、第一の外形の梱包箱１１２(1)を組み立てるときは破断する必要がない。つまり、梱包箱１１２(1)を組み立てるときは、第二及び第三底蓋フラップ５０，５４が一体になっており、第五及び第六底蓋フラップ６２，６６も一体になっているので、これらを９０°に正折りする作業や底蓋部１１６(1)を粘着テープ等で固定する作業が容易になるという利点がある。したがって、底蓋フラップ破断線１２２，１２４を設ける構成は、梱包箱１１２(1)として使用する頻度が、梱包箱１１２(2)として使用する頻度よりも高い場合に好適である。前者と後者の頻度が同じ場合は、箱体形成片１２０の状態で第二底蓋フラップ５０と第三底蓋フラプ５４を予め分離し、第五底蓋フラップ６２と第六底蓋フラップ６６を予め分離した構成にしてもよい。天蓋フラップ破断線１２６，１２８についても同様である。
【００７０】
以上説明したように、梱包箱１１２は、第一の外形に組み立てると、筒状部１１４の断面が正方形に近くなって容積が大きくなり、第二の外形に組み立てると、筒状部１１４の断面が細長い長方形になって容積が小さくなる。つまり、包装する物品の総体積に合わせて適切な外形を選択することができ、しかもどちらの外形を選択した場合も、筒状部１１４の下側の開口を底蓋部１４で確実に閉鎖できるものである。したがって、梱包箱１１２の種類を少なくすることができ、緩衝材等の詰め物の量も最小限に抑えることができる。また、箱体形成片１２０も、一枚のブランクシートから効率よく製造することができるシンプルな形状であり、組み立ても容易である。
【００７１】
なお、本発明の梱包箱は上記実施形態に限定されるものではない。例えば、箱体形成片が段ボールにより形成される場合、段ボールの波状の中芯の中空部分が連続する方向と平行に折罫線３２，３４，３６，３８，４０が設けられ、容積を変更するための３２，３８は、特別に折り曲げやすくするため等の折罫線が設けられていなくても、中芯の中空部分が兼用しても良いものである。
【００７２】
この他、上記の梱包箱１０，１０８において、第三及び第六底蓋フラップは、第一の外形と第二の外形のどちらに組み立てた場合でも補助的なサイドフラップとして働き、第三及び第六底蓋フラップを設けなくても筒状部の端部を隙間なく閉鎖することができる。したがって、第三及び第六底蓋フラップは、必要に応じて省略してもよい。
【００７３】
また、上記の梱包箱１０は、円柱形の物品（又は、断面正方形の角柱状の物品）を包装するとき、容積が小さい方の外形で３個を「横３列×縦１列」に包装し、容積が大きい方の外形で４個を「横２列×縦２列」に包装する構造に設計されているが、数の組み合わせは、所定の規則にしたがって変更することができる。具体的には、円柱形の物品の直径に基づいて規定される基準寸法Ｆに対し、上記の式（１３）〜（１６）に基づいて定数Na，Nb，Nc，Ndを定義し、各定数Na，Nb，Nc，Ndがすべて自然数になるように、長さＬ，D1，D2を設定することによって、様々な組み合わせが可能になる。例えば、図１３には、７つの設計例No.1〜No.7を示している。この中のNo.1は、「Na＝3、Nb＝1、Nc＝2、Nd＝2」となるように長さＬ，D1，D2を設定することによって、容積が小さい方の外形で物品３個を「横３列×縦１列」に包装し、容積が大きい方の外形で物品４個を「横２列×縦２列」に包装するという設計例であり、上記実施形態の梱包箱１０がこれに該当する。例えば、No.3は、「Na＝4、Nb＝2、Nc＝3、Nd＝3」となるように長さＬ，D1，D2を設定することによって、容積が小さい方の外形で物品８個を「横４列×縦２列」に包装し、容積が大きい方の外形で物品９個を「横３列×縦３列」に包装するという設計例である。なお、梱包箱１０の場合、容積が小さいのが第一の外形で、容積が大きいのが第二の外形であるが、梱包箱１１８の場合は、第一の外形と第二の外形の容積の大小関係が反対になるという点で形態が異なるが、図１３に示す考え方は、梱包箱１１８のような形態にも適用することができることは言うまでもない。
【００７４】
さらに、上記の梱包箱１０，１０２，１１２はどれも、筒状部の上側の端部を隙間なく閉鎖できる天蓋部を備えているが、筒状部の上端側を簡易的に閉鎖すればよい場合（隙間が空いてもよい場合等）は天蓋フラップの構成を自由に変更することができ、隙間を段ボール等の板材であるパッドにより塞ぐものでも良い。さらに、天蓋部自体が不要であれば、天蓋フラップを省略してもよい。
【符号の説明】
【００７５】
１０，１０２，１１２  梱包箱
１２，１０４，１１４  筒状部
１４，１０６，１１６  底蓋部
１６，１０８，１１８  天蓋部
１８，１１０，１２０  箱体形成片
２０  第一側面板
２２  第二側面板
２４  第三側面板
２６  第四側面板
２８  第五側面板
３０  第六側面板
４６  第一底蓋フラップ
５０  第二底蓋フラップ
５４  第三底蓋フラップ
５８  第四底蓋フラップ
６２  第五底蓋フラップ
６６  第六底蓋フラップ
７０，７２，１２２，１２４  底蓋フラップ破断線
７４  第一天蓋フラップ
７８  第二天蓋フラップ
８２  第三天蓋フラップ
８６  第四天蓋フラップ
９０  第五天蓋フラップ
９４  第六天蓋フラップ
９８，１００，１２６，１２８  天蓋フラップ破断線
【図１】
2017132497.tif 000003
【図２】
2017132497.tif 000004
【図３】
2017132497.tif 000005
【図４】
2017132497.tif 000006
【図５】
2017132497.tif 000007
【図６】
2017132497.tif 000008
【図７】
2017132497.tif 000009
【図８】
2017132497.tif 000010
【図９】
2017132497.tif 000011
【図１０】
2017132497.tif 000012
【図１１】
2017132497.tif 000013
【図１２】
2017132497.tif 000014
【図１３】
2017132497.tif 000015